(57)【要約】【課題】従来の音声記録システムでは、録音内容にセキュリティ上の問題があった。【解決手段】システム制御部１７は、通話相手端末との接続を行う。録音制御部は、接続がなされると音声入力コマンドによる録音開始指示の検出を行い、前記録音開始指示があると記憶装置に送受信音声の音声ファイルを作成する。文字化制御部１０は、音声ファイルの音声データを文字化し、文字ファイル１２を作成する。宛先送信部１１は、文字ファイル１２の文字データを予め決められた通知先に通知する。【選択図】      図１
2008060776.tif 000002
【特許請求の範囲】
【請求項１】
通話相手端末との送受信音声を録音し、前記録音された音声を所定の通知先に通知することを特徴とする携帯端末装置による録音通知方法。
【請求項２】
前記通知先に通知する内容は、前記録音された音声を文字化したものであることを特徴とする請求項１記載の携帯端末装置による録音通知方法。
【請求項３】
前記文字化したデータが一定の量になる毎に前記通知先にメール通知することを特徴とする請求項２記載の携帯端末装置による録音通知方法。
【請求項４】
前記録音が開始されると、バイブレータを振動させることを特徴とする請求項１乃至３のいずれか１つに記載の携帯端末装置による録音通知方法。
【請求項５】
通話相手端末と接続後、録音開始指示があると記憶装置に送受信音声の音声ファイルを作成し、前記音声ファイルの音声データを所定の通知先に通知することを特徴とする携帯端末装置による録音通知方法。
【請求項６】
前記録音開始指示は、音声入力のコマンドであることを特徴とする請求公５記載の携帯端末装置による録音通知方法。
【請求項７】
前記通知先に通知する内容は、前記音声ファイルの音声データを文字化したものであることを特徴とする請求項５記載の携帯端末装置による録音通知方法。
【請求項８】
前記音声ファイル作成の終了は、録音終了指示またはキーボタンによる通話終了時であることを特徴とする請求項５記載の携帯端末装置による録音通知方法。
【請求項９】
前記文字化したデータが一定の量になる毎に前記文字化したデータを前記通知先にメール通知することを特徴とする請求項７記載の携帯端末装置による録音通知方法。
【請求項１０】
前記録音開始指示があると、予め備えたバイブレータを振動させることを特徴とする請求項５または６記載の携帯端末装置による録音通知方法。
【請求項１１】
通話相手端末との通信時に録音開始指示の検出を行い前記録音開始指示があると予め有する記憶装置に送受信音声の音声ファイルを作成する録音制御部と、前記音声ファイルの音声データを予め決められた通知先に通知する宛先送信部とを含んで構成されることを特徴とする携帯端末装置。
【請求項１２】
前記録音開始指示は、音声入力のコマンドであることを特徴とする請求項１１記載の携帯端末装置。
【請求項１３】
前記音声ファイルの音声データを文字化する文字化制御部を有し、前記通知先に通知する内容は前記文字化したデータであることを特徴とする請求項１１記載の携帯端末装置。
【請求項１４】
前記音声ファイル作成の終了は、前記録音制御部が録音終了指示を検出するかまたはキーボタンによる通話終了時であることを特徴とする請求項１１記載の携帯端末装置。
【請求項１５】
前記宛先送信部は前記文字化したデータが一定の量になる毎に前記文字化したデータを前記通知先にメール通知することを特徴とする請求項１３記載の携帯端末装置。
【請求項１６】
前記録音制御部は、前記録音開始指示があると予め備えたバイブレータを振動させることを特徴とする請求項１１記載の携帯端末装置。
【請求項１７】
第１の携帯端末装置と、第２の携帯端末装置と、前記第１の携帯端末装置と前記第２の携帯端末装置とを接続するネットワークとを含む通信システムであって、前記第１の携帯端末装置は、前記第２の携帯端末装置との接続を行うシステム制御部と、前記接続がなされると録音開始指示の検出を行い前記録音開始指示があると予め有する記憶装置に送受信音声の音声ファイルを作成する録音制御部と、前記音声ファイルの音声データを予め決められた通知先に通知する宛先送信部を含んで構成されることを特徴とする通信システム。
【請求項１８】
前記録音開始指示は、音声入力のコマンドであることを特徴とする請求項１７記載の通信システム。
【請求項１９】
前記音声ファイルの音声データを文字化する文字化制御部を有し、前記通知先に通知する内容は前記文字化データであることを特徴とする請求項１７記載の通信システム。
【請求項２０】
前記宛先送信部は前記文字化したデータが一定の量になる毎に前記文字化したデータを前記通知先にメール通知することを特徴とする請求項１９記載の通信システム。
【発明の詳細な説明】
【技術分野】
【０００１】
本発明は携帯端末装置による録音通知方法及び携帯端末装置及び通信システムに関し、特に、録音の内容をリアルタイムに第３者に通知することにより録音内容のセキュリティを向上させた携帯端末装置による録音通知方法及び携帯端末装置及び通信システムに関する。
【背景技術】
【０００２】
携帯電話機、ＰＨＳ（Ｐｅｒｓｏｎａｌ  Ｈａｎｄｙ  ｐｈｏｎｅ  ｓｙｓｔｅｍ  ）等の携帯端末装置は、どこでも、だれとでも会話できる点で非常に便利である。しかし、会話内容をメモしようとすると、文房具等で他の媒体に記すか、ユーザが個人的に記憶するなど、手間・曖昧さ等を伴う場合が多い。
【０００３】
そこで、上述の問題を解決させる音声記録システムが提案されている（例えば、特許文献１、特許文献２参照。）。
【０００４】
この音声記録システムは、例えば、特許文献１に記載された方法では、ヘッドセット間の会話を常時、ヘッドセット内のメモリに自動的に録音できる仕組みを提供している。
【０００５】
また、特許文献２に記載された方法では、携帯電話機に交換可能なメモリカードを装着して、相手の話と自分の話を記録し、後刻に会話の内容を確認できるようにしている。
【０００６】
一方、最近では、携帯電話機を用いた犯罪が急増している。例えば、携帯電話機を用いたおれおれ詐欺や、無法な取り立て、脅迫、ゆすりなど、様々な犯罪が発生している。
【０００７】
善良な市民が、これらの事件に巻き込まれたとき、会話の内容、状況は、犯人検挙や、追跡に重要な証拠となりうる。
【０００８】
上述した音声記録システムでも、相手の話と自分の話を記録した結果を、しかるべき場所に出向き開示すれば、捜査に役立つことは間違いない。
【０００９】
【特許文献１】特開２００５−２３７０１７号公報（例えば、「００３７」〜「００４１」）
【特許文献２】特開２０００−３２１６９号公報（例えば、「００１８」〜「００２０」）
【発明の開示】
【発明が解決しようとする課題】
【００１０】
しかし、上述した従来の音声記録システムでは、録音内容にセキュリティ上の問題があった。
【００１１】
なぜなら、録音した本人が拉致されたり、録音した端末が奪われたり、紛失したりした場合は、会話の証拠も開示できなくなるからである。
【００１２】
本発明の目的は、携帯電話機による双方の会話を録音し、その結果を文字化して、リアルタイムに、予め登録しておいた相手先に送信することにより、録音内容のセキュリティを向上させた携帯端末装置による録音通知方法及び携帯端末装置及び通信システムを提供することにある。
【課題を解決するための手段】
【００１３】
この発明は、通話相手端末との送受信音声を録音し、前記録音された音声を所定の通知先に通知することを特徴とする。
【００１４】
この場合、前記通知先に通知する内容は、前記録音された音声を文字化したものであることを特徴とする。
【００１５】
また、前記文字化したデータが一定の量になる毎に前記通知先にメール通知することを特徴とする。
【００１６】
また、前記録音が開始されると、バイブレータを振動させることを特徴とする。
【００１７】
次の発明は、通話相手端末と接続後、録音開始指示があると記憶装置に送受信音声の音声ファイルを作成し、前記音声ファイルの音声データを所定の通知先に通知することを特徴とする。
【００１８】
この場合、前記録音開始指示は、音声入力のコマンドであることを特徴とする。
【００１９】
また、前記通知先に通知する内容は、前記音声ファイルの音声データを文字化したものであることを特徴とする。
【００２０】
また、前記音声ファイル作成の終了は、録音終了指示またはキーボタンによる通話終了時であることを特徴とする。
【００２１】
また、前記文字化したデータが一定の量になる毎に前記文字化したデータを前記通知先にメール通知することを特徴とする。
【００２２】
また、前記録音開始指示があると、予め備えたバイブレータを振動させることを特徴とする。
【００２３】
次の発明は、通話相手端末との通信時に録音開始指示の検出を行い前記録音開始指示があると予め有する記憶装置に送受信音声の音声ファイルを作成する録音制御部と、前記音声ファイルの音声データを予め決められた通知先に通知する宛先送信部とを含んで構成されることを特徴とする。
【００２４】
この場合、前記録音開始指示は、音声入力のコマンドであることを特徴とする。
【００２５】
また、前記音声ファイルの音声データを文字化する文字化制御部を有し、前記通知先に通知する内容は前記文字化したデータであることを特徴とする。
【００２６】
また、前記音声ファイル作成の終了は、前記録音制御部が録音終了指示を検出するかまたはキーボタンによる通話終了時であることを特徴とする。
【００２７】
また、前記宛先送信部は前記文字化したデータが一定の量になる毎に前記文字化したデータを前記通知先にメール通知することを特徴とする。
【００２８】
また、前記録音制御部は、前記録音開始指示があると予め備えたバイブレータを振動させることを特徴とする。
【００２９】
次の発明は、第１の携帯端末装置と、第２の携帯端末装置と、前記第１の携帯端末装置と前記第２の携帯端末装置とを接続するネットワークとを含む通信システムであって、前記第１の携帯端末装置は、前記第２の携帯端末装置との接続を行うシステム制御部と、前記接続がなされると録音開始指示の検出を行い前記録音開始指示があると予め有する記憶装置に送受信音声の音声ファイルを作成する録音制御部と、前記音声ファイルの音声データを予め決められた通知先に通知する宛先送信部を含んで構成されることを特徴とする。
【００３０】
この場合、前記録音開始指示は、音声入力のコマンドであることを特徴とする。
【００３１】
また、前記音声ファイルの音声データを文字化する文字化制御部を有し、前記通知先に通知する内容は前記文字化データであることを特徴とする。
【００３２】
また、前記宛先送信部は前記文字化したデータが一定の量になる毎に前記文字化したデータを前記通知先にメール通知することを特徴とする。
【発明の効果】
【００３３】
本発明の携帯端末装置による録音通知方法及び携帯端末装置は、録音した内容のセキュリティを向上させる効果がある。
【００３４】
なぜなら、携帯電話機による双方の会話中に、双方の会話を録音し、その結果を文字化して、リアルタイムに、予め登録しておいた相手先に送信するようにしたからである。
【発明を実施するための最良の形態】
【００３５】
次に、本発明を実施するための最良の形態について図面を参照して詳細に説明する。
【００３６】
本発明の実施の形態は、携帯電話機による双方の会話を録音し、その結果を文字化して、リアルタイムに、予め登録しておいた相手先に送信することにより、録音内容のセキュリティを向上させものである。
【００３７】
そのため、本発明の実施の形態においては、携帯電話機の録音開始の指示に、音声入力による録音制御コマンドを用いる。
【００３８】
その理由は、会話録音が、セキュリティ目的であるため、操作が簡単でなければならず、また、必要性を感じたときにすぐに使用できなければならないからである。
【００３９】
図１は本発明の一実施の形態を示す携帯電話機のブロック図である。
【００４０】
図１を参照すると、本発明の一実施の形態の携帯電話機は、マイク１、アンテナ２、録音制御部３、送受信部４、音声符号化部５、音声復号部６、音声再生制御部７、スピーカ８を有している。さらに、携帯電話機は、音声ファイル９、文字化制御部１０、宛先送信部１１、文字ファイル１２、文字再生制御部１３、表示装置１４、振動制御部１５、バイブレータ１６、システム制御部１７を含んでなる。
【００４１】
システム制御部１７は、図示していないが、ＣＰＵが不揮発性メモリに格納されたＯＳやアプリケーションを実行することにより、装置全体を統括する。例えば、発呼、着呼などの呼処理あるいはデータ通信を統括し、必要に応じて各制御部を起動制御する。
【００４２】
なお、システム制御部１７は、音声の送受信と同時に、メールなどのパケットデータを送受信できるマルチアクセス制御機能を有するものとする。
【００４３】
図１においては、システム制御部１７は、発呼時に相手端末から応答信号を受信したとき、又は、着呼時にオフフックしたとき、会話可能状態になったとし録音制御部３を起動する。
【００４４】
尚、呼処理の制御方法は、従来から知れられた技術と同じであるため、ここでは詳述しない。
【００４５】
録音制御部３は、相手装置との通信時、たとえば相手装置との接続が確立し通話開始状態になったときにシステム制御部１７から起動されると、マイク１からの入力音声を受信し、アナログ／ディジタル変換したのち、予め内部のメモリに登録された録音制御コマンドを検出する。録音制御部３は、録音制御コマンドが録音開始コマンドであれば、録音データとしてＲＡＭに音声ファイル９を作成し、振動制御部１５に起動を指示する。尚、ＲＡＭは、以下も同様であるが、不揮発性である。そして、録音制御部３は、録音制御コマンドが録音終了コマンドであれば、録音終了として音声ファイル９の作成を中止し、振動制御部１５に起動停止を指示する。この録音制御部３の録音制御コマンド処理の詳細については、後述する。
【００４６】
また、録音制御部３は、音声ファイル９を作成する際、自分と通話相手のそれぞれに対応した二つの音声ファイルを作成する。マイク１からの入力音が自分の音声として、後述する音声復号部６からの音声データを相手側の音声として録音する。そして、それぞれの音声ファイルには「タイムスタンプデータ」が会話音声の音声ブロックの開始点毎に入っており、再生時には二つの音声ファイルに記録された音声が同期して一連の会話の流れとなるように再生できるようになっている。
【００４７】
また、必要があれば、二つのファイルを別々に再生させることもできる。詳細は後述する。
【００４８】
音声符号化部５は、録音制御部３から渡される入力音声を所定の方法で符号化し、符号化音声データを送受信部４に出力する。
【００４９】
振動制御部１５は、録音制御部３から起動されると、予め定めれた振動パターンでバイブレータ１６を振動させ、利用者に、会話の録音が開始されたことを通知する。
【００５０】
送受信部４は、アンテナ２から音声信号を含む無線信号を受信し、復調、ベースバンド信号化を行い、音声データを音声復号部６に出力する。また、送受信部４は、音声符号化部５で符号化されたマイク１からの入力音声（音声データ）をフレーム化、変調し、アンテナ２から放出する。この送受信部４は、移動体通信の通信方式に応じた回路構成を有する。
【００５１】
音声復号部６は、送受信部４からの音声データを復号し、録音制御部３に出力するとともに、復号した後ディジタル／アナログ変換してスピーカ８を介して出力する。
【００５２】
音声ファイル９は、録音制御部３によりＲＡＭに作成された録音データである。録音データは録音制御部３により作成されたもので、自分と通話相手のそれぞれに対応した二つの音声ファイルで構成される。それぞれの音声ファイルに、マイク１からの入力音が自分の音声として、音声復号部６からの出力音を相手側の音声として録音される。それぞれの音声ファイルには「タイムスタンプデータ」が会話音声の音声ブロックの開始点毎に入っており、再生時には二つの音声ファイルに記録された音声が同期して再生できるようになっている。
【００５３】
なお、タイムスタンプデータは、それぞれの音声ファイルに自分と通話相手の会話音声が録音される際に、録音制御部３によって音声ブロックの開始点毎に付与される時刻データである。
【００５４】
音声再生制御部７は、ユーザからの要求を受けて音声ファイルを再生し、スピーカ８から出力する。
【００５５】
文字化制御部１０は、音声ファイル９の音声データを音声認識技術を用いて文字化し、ＲＡＭに文字ファイル１２を作成するとともに、宛先送信部１１を起動する。文字化制御部１０は、音声ファイル９と同様に、録音された自分の音声ファイルと相手の音声ファイルを別々に文字化してファイル作成する。
【００５６】
また、文字化制御部１０は、文字化された文字データが、一定量に達すれば宛先送信部１１を起動する。
【００５７】
文字ファイル１２は、文字化制御部１０によりＲＡＭに作成された、録音データの文字化データである。音声ファイル９と同様に、録音された自分の音声ファイルと相手の音声ファイルを別々に文字化されたファイルからなる。
【００５８】
宛先送信部１１は、文字化制御部１０から起動されると、文字ファイルのデータを、予め指定されたアドレスにリアルタイムにメール送信する。
【００５９】
宛先送信部１１の詳細動作については後述する。
【００６０】
文字再生制御部１３は、ユーザからの要求を受けて、文字ファイル１２のデータを表示装置１４に表示する。
【００６１】
表示装置１４は、携帯電話機のディスプレイである。
【００６２】
図２は、本発明の一実施の形態を示す携帯電話機の動作フロー図である。
【００６３】
ステップ１；システム制御部１７は、送受信部４を経由して、発呼時に相手から応答信号を受信したとき、又は、着呼時にオフフックしたとき、通話開始状態になったと判断し、録音制御部３を起動する。
【００６４】
なお、ステップ１の前提として、操作部の操作により、携帯電話機は、通話開始状態になると、会話音声の録音を行う録音モードが選択されているものとする。
【００６５】
ステップ２；録音制御部３は、システム制御部１７から起動されると、マイク１からの入力音声を受信し、予め登録された録音制御コマンドを検出する。この場合、録音制御部３は、会話冒頭部分の入力音声を音声分析し、あらかじめ録音制御部３内のメモリに記憶された録音制御コマンドと音声分析された会話冒頭部分の入力音声とを比較し、ほぼ一致していれば、その録音制御コマンドを検出する。
【００６６】
ステップ２で、録音開始コマンドが検出された場合は、ステップ３、ステップ４に移行し、録音終了コマンドが検出された場合は、ステップ７に移行し、未検出の場合はステップ２を繰り返す。
【００６７】
ステップ３；録音制御部３は、自分と通話相手のそれぞれに対応した二つの音声ファイルを音声ファイル９として作成する。
【００６８】
ステップ４；録音制御部３は、振動制御部１５に起動を指示する。振動制御部１５は、録音制御部３から起動されると、予め定めれた振動パターンでバイブレータ１６を振動させ、利用者に、会話の録音が開始されたことを通知する。
【００６９】
ステップ５；システム制御部１７で、ステップ３での音声ファイル９の作成が認識されると、文字化制御部１０は、音声ファイル９の音声データを音声認識技術を用いて文字化し、ＲＡＭに文字ファイル１２を作成するとともに、宛先送信部１１を起動する。
【００７０】
ステップ６；宛先送信部１１は、文字化制御部１０から起動されると、文字ファイルのデータを、予め指定されたアドレスにリアルタイムにメール送信する。
【００７１】
ステップ７；録音制御部３は、コマンドが録音終了であれば、録音終了として音声ファイル９の作成を中止する。
【００７２】
ステップ８；次に、録音制御部３は、振動制御部９に起動停止を指示する。
【００７３】
次に、録音制御部３のコマンド処理について詳述する。
【００７４】
録音制御部３は、上述したとおり、マイク１からの入力音声を受信し、予め登録された録音制御コマンドに対応する処理を行う。
【００７５】
この録音制御コマンドには、録音開始用のコマンドと録音終了用のコマンドを設ける。
【００７６】
ここで、コマンドは、マイク１で入力、かつ録音制御部３で検出できるものであり、言葉を表す音声データ、そのほかの音のデータであってもよい。言葉を表す音声データの場合、たとえば、以下のコマンドである。
【００７７】
録音開始コマンド：例  「メモ開始」、「確認します」、「開始」、「いち」、「スタート」、「ピピ」
録音終了コマンド：例  「録音終了」、「以上です」、「終了」、「に」、「ストップ」、「ピー」
これらのコマンドは、図５に示すようにコマンドテーブルに予め保持されている。このコマンドテーブルは、ユーザが、自由に設定できるようにしておくことが望ましい。
【００７８】
また、録音制御コマンドは如何なる言語、擬態語、楽器等によって生じる一定の音色を持つ音の音データで表されるコマンドであってもよい。
【００７９】
図３は、録音制御部３の録音制御コマンド検出時の第１の処理方法を示す解説図である。なお、図３では、便宜上、音声の波形は、アナログ波形で示している。
【００８０】
第１の処理方法では、録音制御コマンドを会話冒頭に付けることで、その部分は常にマスクされるように設定する。
【００８１】
時刻Ｔ１〜Ｔ２の間は、会話冒頭の録音制御コマンドであり、録音制御部３は、この間で録音開始用のコマンド検出を行う。尚、Ｔ１〜Ｔ２、Ｔ３〜Ｔ４、…は、入力音声の有音部のブロックである（以降も同様である）。
【００８２】
時刻Ｔ１〜Ｔ２の間のマイク１からの入力音声は、音声符号化部５には出力されず、通話相手にマスクされることになる（以降、マスク処理と称す）。
【００８３】
コマンドが検出された場合、録音制御部３は、（１）の処理（図３参照）、即ち、録音処理（音声ファイル９の作成）、及び振動制御部１５の起動を行う。
【００８４】
振動制御部１５の起動により、バイブレータ１６は振動し、ユーザは、録音が開始されたことを知ることができる。
【００８５】
バイブレータの振動パターンは、予めいくつか用意しておき、ユーザが選択できるようにしても良い。
【００８６】
時刻Ｔ３以降のマイク１からの入力音声は、そのまま、音声符号化部５に出力される。
【００８７】
図４は、録音制御部３の録音制御コマンド検出時の第２の処理方法を示す解説図である。なお、図４では、便宜上、音声の波形は、アナログ波形で示している。
【００８８】
第２の処理方法では、マイク１からの入力音声を、録音制御部３の録音制御コマンド判定時間だけ、たとえば、レジスタ等で遅延させる。そして、録音制御部３は、入力音声に録音制御コマンドが含まれていれば上述のマスク処理を行い、同時にコマンド対応の処理を行う。録音制御部３は、入力音声に録音制御コマンドが含まれていなければ、遅延された入力音声を、音声符号化部５に出力する。
【００８９】
図４において、時刻Ｔ１〜Ｔ２の間に録音制御コマンドが含まれていないとすると、入力音声は、録音制御部３の録音制御コマンド判定時間だけ遅延されて、音声符号化部５に出力される。
【００９０】
時刻Ｔ３〜Ｔ４の間に録音開始コマンドが含まれていれば、録音制御部３は、上述のマスク処理を行い、（１）の処理（図４参照）、即ち、録音処理及び振動制御部１５の起動を行う。
【００９１】
以降、録音制御部３は、時刻Ｔ５〜Ｔ６、時刻Ｔ９〜Ｔ１０は、時刻Ｔ１〜Ｔ２と同等の処理を行う。
【００９２】
そして、時刻Ｔ７〜Ｔ８の間に録音終了コマンドが含まれていれば、録音制御部３は、上述のマスク処理を行い、（２）の処理（図４参照）、即ち、録音処理の終了及び振動制御部１５の停止指示を行う。
【００９３】
また、第３の処理方法として、第２の処理方法のように時間遅延を付加させなくても、通話中のバックグラウンドのノイズを制御コマンドに置き換える方法も考えられる。
【００９４】
たとえば、通話中に話者が操作する機器から、ノイズたとえば高周波を音声と平行して出力し、録音制御部３は、音声データとともにこの高周波データを入力される。録音制御部３は、この高周波データの特徴、たとえば、時間的長さから、録音開始コマンドであるか、録音終了コマンドであるかを判断する方法が考えられる。
【００９５】
この場合、機器は、高周波出力ボタンを押している時間だけ高周波を出力し、また、録音制御部３が認識できる高周波を出力するものでなければならない。
【００９６】
上述した第１、第２の処理方法において、会話中に録音終了のつもりでない録音終了コマンドと同じ言葉が発言されても無視されるようにする必要がある。そのためには、録音終了コマンドを発声時には、予め定められたキーを押下するように決めておき、録音制御部３は、録音終了コマンドを検出したとき、このキーが押下されているときだけで録音終了を実施するようにすればよい。また、録音終了を音声制御コマンドではなく、キーボタンによる終了制御とする方法でもよい。すなわち、会話終了と同時に録音も終了させる。
【００９７】
次に、宛先送信部１１の詳細動作について説明する。
【００９８】
図６は、宛先送信部１１のブロック図である。
【００９９】
宛先送信部１１において、位置情報取得手段６０は、ＧＰＳが携帯端末に具備されている場合には位置情報を取得し、ＧＰＳが携帯端末に具備されていない場合には通信基地局番号を取得する。
【０１００】
送信文取得手段６１は、文字化制御部１０が録音された音声を一定量文字化するたびに、一定量単位の文字データを送信文データとして取得する。
【０１０１】
メール送信手段６２は、取得した送信文データと、時間、位置情報とを基にメール情報を作成し、宛先保存部６３に保存された宛先にメール送信する。宛先保存部６３における宛先の選択方法は、優先順位に基づく選択でも良いし、全ての宛先に順次送付するようにしても良い。
【０１０２】
このようにして、会話内容が、ほぼリアルタイムに、所定の宛先にメール送信され、第三者の受信端末もしくはＰＣ画面上には会話内容が時系列で表示されて、容易に確認することが可能となる。
【０１０３】
尚、通話中の、メール送信技術については、特開２００６−１０９２８９に記載されているので、参照されたい。
【０１０４】
次に、録音された音声ファイル９、文字ファイル１２の再生方法を説明する。
【０１０５】
音声ファイル９、文字ファイル１２の再生は、操作部たとえば、メニューからの選択などにより、システム制御部１７に通知される。システム制御部１７は、操作部からの要求が音声ファイル９の再生であれば、音声再生制御部７を駆動して、音声ファイル９の音声データをスピーカ８から出力させる。また、操作部からの要求が文字ファイル１２の再生であれば、文字再生制御部１３を駆動して、文字ファイル１２の文字データを表示装置１４に表示させる。
【０１０６】
音声ファイル９の再生は、自分と通話相手のそれぞれに対応した二つの音声ファイルを、別々に再生することもでき、また、二つの音声ファイルを結合して再生することもできる。
【０１０７】
二つの音声ファイルを結合して再生する場合は、システム制御部１７は、「タイムスタンプデータ」により時間的に同期させ、二人の音声が一連の会話の流れとなるように再生する。
【０１０８】
また、音声ファイル９、文字ファイル１２を同時に再生するようにすることもできる。
【０１０９】
この場合も、システム制御部１７は、音声と文字をタイムスタンプにより同期させ、時系列に再現する。
【０１１０】
図７は、再生例を示した図である。上段には、時刻とともに、自分の話した音声がスピーカ８から出力されるとともに、表示装置１４には、変換された文字列が表示される。また、下段には、相手の話した内容が同様に再現される。
【０１１１】
以上説明したように、本発明の実施に形態の携帯端末装置による録音通知方法及び携帯端末装置は、録音した内容のセキュリティを向上させる効果がある。
【０１１２】
なぜなら、携帯電話機による送受信双方の会話中に、双方の会話を録音し、その結果を文字化して、予め登録しておいた相手先に送信するようにしたからである。
【０１１３】
また、本発明の実施に形態の携帯端末装置による録音通知方法及び携帯端末装置は、録音の操作性が向上する効果がある。
【０１１４】
その理由は、録音指示に音声入力による録音制御コマンドを用いるようにしたからである。
【０１１５】
さらに、本発明の実施に形態の携帯端末装置による録音通知方法及び携帯端末装置は、会話内容のメール送信にリアルタイム性を持たせることができる効果がある。
【０１１６】
なぜなら、会話文が文字化されるたびに、予め決められたまとまった単位でメール送信されるからである。
【０１１７】
尚、上述の実施の形態では、携帯電話機において録音音声のテキスト文字変換を行っているが、これをアプリケーションサーバで行うようにしても良い。これにより、携帯電話機における録音音声のテキスト文字変換の処理負荷が軽減できる。その際には、保存データは自分と録音を通知された第三者以外、再生できなくする必要がある。そのためには、データに暗号キーを組み込む必要がある。
【０１１８】
また、上述の実施の形態では、会話音声のテキスト文字変換を行って、通知先にメール送付しているが、会話音声のままメール送付するようにしても良い。
【０１１９】
これは、音声ファイル９の音声データをメールに添付して送り、受信側では、メール受信した音声データを再生して聞く方法である。
【０１２０】
また、相手側の携帯電話機は、上述した実施の形態と同じ構成のものであっても良いし、従来の携帯電話機であっても良い。
【図面の簡単な説明】
【０１２１】
【図１】本発明の一実施の形態を示す携帯電話機のブロック図である。
【図２】本発明の一実施の形態を示す携帯電話機の動作フロー図である。
【図３】図１の録音制御部の録音制御コマンド検出時の第１の処理方法を示す解説図である。
【図４】図１の録音制御部の録音制御コマンド検出時の第２の処理方法を示す解説図である。
【図５】コマンドテーブルの構成例を示す図である。
【図６】本発明の一実施の形態を示す宛先送信部のブロック図である。
【図７】録音ファイルと文字化ファイルの再生例を示した図である。
【符号の説明】
【０１２２】
１    マイク
２    アンテナ
３    録音制御部
４    送受信部
５    音声符号化部
６    音声復号部
７    音声再生制御部
８    スピーカ
９    音声ファイル
１０    文字化制御部
１１    宛先送信部
１２    文字ファイル
１３    文字再生制御部
１４    表示装置
１５    振動制御部
１６    バイブレータ
１７    システム制御部
６０    位置情報取得手段
６１    送信文取得手段
６２    メール送信手段
６３    宛先保存部
【図１】
2008060776.tif 000003
【図２】
2008060776.tif 000004
【図３】
2008060776.tif 000005
【図４】
2008060776.tif 000006
【図５】
2008060776.tif 000007
【図６】
2008060776.tif 000008
【図７】
2008060776.tif 000009